(57)【要約】【課題】車椅子に座位の被検者の胸部などを撮影する場合、支柱に車椅子下部が当設しないＸ線撮影スタンドを提供する。【解決手段】Ｘ線撮影スタンドの支柱１とブッキー装置２Ｃとの間の保持部３を水平方向に伸縮可能に構成して、Ｘ線発生装置の撮影術式のうち、例えば「車椅子」または「座位」などを選択することにより、これに連動して保持部３が水平方向に伸びてブッキー装置２Ｃを前方に突き出す。これにより支柱１とブッキー装置２Ｃとの間隙が大きくなり、被検者Ｋの膝や車椅子１１の下部が支柱１にあたらないため、被検者Ｋの胸部がブッキー装置２Ｃに密着した適正な撮影状態を速やかに設定することが可能となる。【選択図】          図１
2005342341.tif 000002
【特許請求の範囲】
【請求項１】
被検者のＸ線透視像を撮影する撮影ユニットを支柱に対し保持部を介して係架するとともに上下に移動可能に構成し被検者の撮影を行う撮影スタンドにおいて、支柱と撮影ユニットとの間の保持部の長さを調節する手段を設け、支柱と撮影ユニットとの水平方向の間隔が変えられることを特徴とするＸ線撮影スタンド。
【請求項２】
撮影ユニットをブッキー装置で構成したことを特徴とする請求項１記載のＸ線撮影スタンド。
【請求項３】
撮影ユニットをフラット・パネル・ディテクターで構成したことを特徴とする請求項１記載のＸ線撮影スタンド。
【発明の詳細な説明】
【技術分野】
【０００１】
本発明は、一般的には立位の被検者等をＸ線透視撮影する診察用のＸ線撮影スタンドに関する。
【背景技術】
【０００２】
従来のＸ線撮影スタンドはその殆どが図４に示すように、被検者Ｋが撮影ユニット２に密着するような位置に立った姿勢で胸部などの撮影を行う構成となっている。撮影ユニット２は、Ｘ線撮影スタンドの支柱１に対して保持部３を介して架設されている。この保持部３をなるべく短くして、撮影ユニット２が前面に突き出す長さを最小限度とすることが、装置の小型化はもとより、一般的に小部屋からなるＸ線撮影室を有効活用するためにも必要であった。また撮影ユニット２と被検者Ｋの胸部などとの位置合せには、支柱１に設けた上下駆動機構（図示なし）による調整のみを行い、水平方向については、被検者Ｋの立つ位置で調節がおこなわれる。したがって保持部３の水平方向の長さは固定になっている（例えば特許文献１参照）。
【特許文献１】特開２０００−２０１９１３号公報
【発明の開示】
【発明が解決しようとする課題】
【０００３】
この従来のＸ線撮影スタンドで、車椅子１１に座った状態の被検者Ｋの胸部などを撮影する場合、図５に示すように、支柱１に車椅子１１の下部や被検者Ｋの脚部が当接ないし衝突するため、撮影ユニット２と胸部との間が一定の間隔の隙間ができる。したがって被検者Ｋが車椅子１１を利用する者の場合は、図６で示すように被検者Ｋが撮影ユニット２になるべく密着するように無理な姿勢をとらなければならない。また適正な撮影条件の設定が困難である。本発明はこのような問題を解消する診察用Ｘ線撮影スタンドを提供するものである。
【課題を解決するための手段】
【０００４】
本発明のＸ線撮影スタンドは、上記課題を解決するために、支柱と撮影ユニットとを連結する保持部を水平方向に伸縮可能に構成したものである。したがってＸ線発生装置の撮影術式のうち、例えば「車椅子」または「座位」などを選択することにより、これに連動して保持部３が水平方向に伸びて撮影ユニットが前方に突き出す構成である。
【発明の効果】
【０００５】
車椅子に座った状態の被検者の撮影を行う場合、Ｘ線発生装置の撮影術式を「車椅子」または「座位」などの設定を選択する事により自動的に撮影スタンドの保持部が伸びる。その結果、支柱と車椅子または支柱と被検者の脚部が干渉することなく撮影ユニットの前面に被検者の胸が容易に密着可能となり迅速で適切なＸ線撮影が可能となる。
【０００６】
また、撮影術式を「車椅子」または「座位」に設定しない時は、撮影ユニットの保持部が縮んでおりＸ線撮影室のスペースを有効に活用できる。
【発明を実施するための最良の形態】
【０００７】
本発明のＸ線撮影スタンドは、支柱と撮影ユニットとを連結する保持部を撮影術式に応じて自動的に水平方向に伸縮可能に構成したものである。
【実施例１】
【０００８】
本発明の診察用Ｘ線撮影スタンドにおいて、撮影ユニットとしては、Ｘ線フィルムを使用して撮影を行う場合、フィルム・カセットを収納するための暗箱としてブッキー装置を使用するのが一般的であり、もっとも広く使用されている。このブッキー装置を使用した実施例で、その構成は図１に示すとおりである。
図１は本発明の実施例の側面図で、被検者Ｋの胸部などを密着してＸ線透視撮影を行うブッキー装置２Ｃが保持部３を介して保持されている。このブッキー装置２Ｃは保持部３を介してＸ線撮影スタンドの支柱１に対して架設されている。図示していない上下移動機構にて上下移動可能に保持されている。図１（Ａ）は保持部３が縮んだ状態を示し、図１（Ｂ）は、伸びた状態を示している。
【０００９】
図２（Ａ）は支柱１とブッキー装置２Ｃと保持部３との関係を示す平面図であり、図２（Ｂ）は保持部３の断面図である。保持部３を伸縮させる機構として、ラック・ピニオンを使用した例を示している。すなわち支柱１には固定枠４が取付けられ、この固定枠４に対してブッキー装置２Ｃが取付けられた移動枠５が水平方向にスライド（伸縮）可能に係合している。固定枠４には図２（Ｂ）に示すようにレール６が敷設され、このレール６を挟持する形でベアリング７が移動枠５に固定されている。したがってベアリング７がスライドするのに連動して移動枠５およびブッキー装置２Ｃが水平方向にスライド可能な構成になっている。
また固定枠４の内側にはモーター８が設置され、このモーター８の出力軸に取付けられたギヤー９が移動枠５に敷設されたラック１０と噛合っている。したがってモーター８にてギヤー９が回転すると、ラック１０側の移動枠５が水平方向にスライドする。保持部３の平面図（Ａ）で説明すると、固定枠４の外側の移動枠５が水平方向にスライドして保持部３の長さが伸縮し、ブッキー装置２Ｃと支柱１との水平方向の間隔が調節される。支柱１とブッキー装置２Ｃとの間隔の大小をモーター８の回転で駆動制御可能にでき、ブッキー装置２Ｃの水平位置が電気信号で選択可能となる。
【００１０】
通常頻繁に使用されるＸ線透視撮影では、立位の被検者Ｋの胸部撮影などが一般的であり、ブッキー装置２Ｃが支柱１から突出すことにより、Ｘ線撮影室の空間を狭めることのないように、保持部３が最も収縮した状態で、ブッキー装置２Ｃが突出さないようにし、撮影室の空間の有効活用できるようにする。
【００１１】
図１（Ｂ）に示すように被検者Ｋが車椅子１１に座った状態でＸ線撮影を行う場合、撮影術式の選択項目の中で「車椅子」または「座位」などを選択する。すると、保持部３が伸びて、ブッキー装置２Ｃと支柱１との間隙が大きくなり、車椅子１１に座った被検者Ｋが正しい姿勢で胸部がブッキー装置２Ｃに密着して適正な撮影状態の設定がえられる。この作動が前述のように自動的に駆動制御され、すみやかに適正な撮影状態の設定が可能となる。
【実施例２】
【００１２】
実施例２は撮影ユニットとして最近Ｘ線フィルムの代りに利用されるＸ線透視像をディジタル・データとして出力することが可能なフラット・パネル・ディテクター（以下ＦＰＤ装置という）２Ｄを使用した例である。この実施例は図３に示すが、保持部３は実施例１と同様であり詳細な説明は省略する。ＦＰＤ装置２Ｄの位置を水平方向に前後することにより、車椅子１１に座位の被検者Ｋに対しても適切な撮影状態がえられる診察用Ｘ線撮影スタンドである。
【００１３】
本発明が提供する診察用Ｘ線撮影スタンドの特徴は、以上詳述した通りであるが、上記ならびに図示例に限定されるものではなく、変形例を挙げることができる。たとえば保持部３の水平方向の伸縮駆動機構としてラック・ピニオン式以外にも、より静かで滑らかな駆動が可能なエアシリンダ式やボール・スクリュウを利用したネジ送りの駆動機構を利用することも可能である。さらに上記伸縮駆動機構の駆動を手動で行うことも可能である。
【産業上の利用可能性】
【００１４】
立位または車椅子利用の被検者のＸ線撮影装置に利用できる。
【図面の簡単な説明】
【００１５】
【図１】本発明の診察用Ｘ線撮影スタンドの構成を示す図である。
【図２】本発明の要部である保持部の構成を示す図である。
【図３】本発明の診察用Ｘ線撮影スタンドの車椅子被検者の撮影状態を示す図である。
【図４】従来の診察用Ｘ線撮影スタンドでの車椅子被検者の撮影状態を示す図である。
【図５】従来の診察用Ｘ線撮影スタンドでの車椅子被検者の撮影状態を示す図である。
【図６】従来の診察用Ｘ線撮影スタンドでの車椅子被検者の撮影状態の説明図である。
【符号の説明】
【００１６】
１  支柱
２  撮影ユニット
２Ｃ  ブッキー装置
２Ｄ  ＦＰＤ装置
３  保持部
４  固定枠
５  移動枠
６  レール
７  ベアリング
８  モーター
９  ギヤー
１０  ラック
１１  車椅子
Ｋ  被検者
【図１】
2005342341.tif 000003
【図２】
2005342341.tif 000004
【図３】
2005342341.tif 000005
【図４】
2005342341.tif 000006
【図５】
2005342341.tif 000007
【図６】
2005342341.tif 000008